(57)【要約】      （修正有）【課題】人体への貼付に適した電導性のある可撓式パッチバンドを提供する。【解決手段】制御ホスト１００に結合されるための電導パッチバンド１０であり、電導パッチバンドに、電気的に接続する導電パッチと電気刺激回路（あるいは電気加熱回路）とが配設され、電導パッチバンドの表面に複数の凸条部１２と複数の凹条部１４とが、連結組合せになるように交錯・交互に配設され、凸条部は、その上表面に最高位の凸条山頂部を形成し、凹条部は所定の厚さを持ち、凸条部の底面から凸条山頂部までは、凹条部に対して少なくとも２倍以上の厚さを持つ。こうして、電導パッチバンドには、湾曲容易性や曲撓容易性などの特性を付与させることができ、かつ内部の電子回路を保護できる効果を兼ね備えることで、身体の各種の曲面と各種の撓みに沿って貼付する要求に適用することができる。【選択図】図２
0003215698.tif 000002
【実用新案登録請求の範囲】
【請求項１】
制御ホストに結合されるための電導パッチバンドを備え、前記電導パッチバンドの表面に有する複数の凸条部と複数の凹条部とが、連続的な連結組合せになるように交錯・交互に配設され、当該凸条部は、その上表面に最高位の凸条山頂部を形成し、当該凹条部は、その上表面に最低位の凹条谷底部を形成し、当該凸条部と当該凹条部とはそれぞれ所定の厚さを持ち、前記凸条山頂部の厚さは、前記凹条谷底部に対して少なくとも２倍以上の厚さを持つことを特徴とする、人体への貼付に適した電導性のある可撓式パッチバンド。
【請求項２】
当該凸条部の底面から前記凸条山頂部までは、前記凹条谷底部に対して２倍の厚さを持つことを特徴とする、請求項１に記載の人体への貼付に適した電導性のある可撓式パッチバンド。
【請求項３】
当該凸条部の底面から前記凸条山頂部までは、前記凹条谷底部に対して３倍の厚さを持つことを特徴とする、請求項１に記載の人体への貼付に適した電導性のある可撓式パッチバンド。
【請求項４】
当該凸条部の底面から前記凸条山頂部までは、前記凹条谷底部に対して４倍の厚さを持つことを特徴とする、請求項１に記載の人体への貼付に適した電導性のある可撓式パッチバンド。
【請求項５】
当該凸条部の底面から前記凸条山頂部までは、前記凹条谷底部に対して５倍の厚さを持つことを特徴とする、請求項１に記載の人体への貼付に適した電導性のある可撓式パッチバンド。
【請求項６】
前記電導パッチバンドに、電気的に接続する導電パッチと電気刺激回路とが配設されることを特徴とする、請求項１に記載の人体への貼付に適した電導性のある可撓式パッチバンド。
【請求項７】
前記電導パッチバンドに、電気的に接続する導電パッチと電気加熱回路とが配設されることを特徴とする、請求項１に記載の人体への貼付に適した電導性のある可撓式パッチバンド。
【請求項８】
当該凸条部の前記上表面が弧凸状となっていることを特徴とする、請求項１に記載の人体への貼付に適した電導性のある可撓式パッチバンド。
【請求項９】
前記凸条山頂部が弧凸状の前記上表面の中央位置に位置していることを特徴とする、請求項８に記載の人体への貼付に適した電導性のある可撓式パッチバンド。
【請求項１０】
当該凹条部は、弧凹状を呈する条体であることを特徴とする、請求項１に記載の人体への貼付に適した電導性のある可撓式パッチバンド。
【請求項１１】
当該凸条部は、辺縁段差を介して当該凹条部に連接され、前記辺縁段差は、垂直な段差であることを特徴とする、請求項１に記載の人体への貼付に適した電導性のある可撓式パッチバンド。
【請求項１２】
前記電導パッチバンドは、さらに当該凸条部と当該凹条部との底面に連結される基材バンドを有することを特徴とする、請求項１に記載の人体への貼付に適した電導性のある可撓式パッチバンド。
【請求項１３】
当該凸条部と当該凹条部とは、同一基準の底面を形成することを特徴とする、請求項１に記載の人体への貼付に適した電導性のある可撓式パッチバンド。
【考案の詳細な説明】
【技術分野】
【０００１】
本考案は、電子医療器具の構造に係り、特に、電導パッチバンドの構成を指し、身体の各部位に容易に貼付することができ、電導性のある可撓式パッチバンドに関するものである。
【背景技術】
【０００２】
近年の科学技術、医療の発達に伴い、最近では数多くの低周波（あるいは電気加熱）電子医療器械を人々が使用している。そのような電子医療器械は、電流の低周波（周波数，ｆｒｅｑｕｅｎｃｙ）（あるいは加熱器）を利用して神経又は筋肉に対して適当な刺激（あるいは加熱）治療を行う。以下、現在使用されている低周波治療器を例にする場合、経皮的末梢神経電気刺激（ｔｒａｎｓｃｕｔａｎｅｏｕｓ  ｅｌｅｃｔｒｉｃａｌ  ｎｅｒｖｅ  ｓｔｉｍｕｌａｔｉｏｎ，ＴＥＮＳ）と電気筋肉刺激（ｅｌｅｃｔｒｉｃａｌ  ｍｕｓｃｌｅ  ｓｔｉｍｕｌａｔｉｏｎ，ＥＭＳ）とに分けられ、ＴＥＮＳは、少量の電気刺激を利用して神経による痛みの情報伝達を抑制すると共に、大脳からのエンドルフィンの発生を促進し、これによって痛み止め効果を発揮し、腰背痛、頸肩痛、筋肉の凝り痛みなどの急性・慢性の痛みを治療することができる。また、ＥＭＳは、筋肉の収縮を促進する分野に属し、筋肉を訓練・運動する目的を達成し、リハビリテーション効果や筋肉のこり痛みを緩和する効果を発揮することができる。
【０００３】
従来の電子医療器械の構造技術は、図１に示すように、前記電子医療器械９０は、電気刺激制御ホスト９１と、前記電気刺激制御ホスト９１側の電導パッチバンド９２とを含み、前記電導パッチバンド９２は、電気刺激制御ホスト９１の片側又は両側に設けられ、前記電導パッチバンド９２内に、導電パッチと電気刺激回路（図示せず）とが配設され、前記電導パッチバンド９２は、貼着底面９２１と上表面９２２とを有し、前記貼着底面９２１と上表面９２２とは、いずれも平面状であり、その間に前記電導パッチバンド９２の厚さを形成する。前記電子医療器械９０をヒトの身体に貼り付けたり、巻き付けたりする際に、前記身体の局部位置に対して神経伝達を行い、又は筋肉に刺激を与えることができる。
【０００４】
上記した従来の電子医療器械の構造技術は、その予期する使用目的を達成することができるが、前記電子医療器械は、使用時、その電導パッチバンド９２をヒトの身体、手部や腿部などの位置に貼り付けたり、巻き付けたりすることで、前記貼着底面９２１を人体部位に接触貼付しても、前記電導パッチバンド９２に内設される電気刺激回路によって電気刺激作用を発生させる。そのため、電導パッチバンド９２を身体部位に密接に貼設するために、前記電導パッチバンド９２を便利に貼り付けたり、巻き付けたりして操作するように、適宜に湾曲又は曲撓する必要があり、そして前記電導パッチバンド９２（貼着底面９２１と上表面９２２との間）は、その縦断面が面一でかつ相当な寸法厚さを持つため、電導パッチバンド９２を曲率が比較的に大きい身体表面に貼付することが困難な傾向がみられ、明らかに理想な設計ではない。
【０００５】
さらに、上記の欠点の改善策として、前記電導パッチバンドの材料減量化や薄型化を図る方式で完成する業者もある。ただし、このようにすると、返って製品の質感と美観に大きな影響を与えてしまう場合がある。
従って、如何にして従来のこの類の電子医療器械における種々な欠点問題を改善するかが、業界が努力して解決・克服しなければならない重要な方向である。
【考案の概要】
【考案が解決しようとする課題】
【０００６】
以上のように、本考案者は、上記した従来の電子医療器械の使用上の欠点及びその構造設計上が理想的ではない事実に鑑み、本願の考案者は、その解決策の研究開発に即座に着手し、さらに曲撓を可能とし、かつ内部の電子回路を保護できる効果を兼ね備える電導性パッチバンドを開発することを要望し、社会貢献及び産業発展の促進を図るために、長期間構想を経て、遂に本考案を完成するに至った。
【課題を解決するための手段】
【０００７】
本考案の目的は、電導パッチバンドには、湾曲容易性や曲撓容易性などの特性及び便利性を付与させることができ、かつ内部の電子回路を保護できる効果を兼ね備えることで、身体の各種の曲面又は各種の撓みに沿って貼付する要求に適用することができる、人体への貼付に適した電導性のある可撓式パッチバンドを提供することである。
【０００８】
上記の目的を達成するために採用した本考案の技術手段は、制御ホストに結合されるための電導パッチバンドを備え、前記電導パッチバンドの表面に有する複数の凸条部と複数の凹条部とが、連続的な連結組合せになるように交錯・交互に配設され、当該凸条部は、その上表面に最高位の凸条山頂部を形成し、当該凹条部は、その上表面に最低位の凹条谷底部を形成し、当該凸条部と当該凹条部とはそれぞれ所定の厚さを持ち、前記凸条山頂部の厚さは、前記凹条谷底部に対して少なくとも２倍以上の厚さを持つ。
【０００９】
前記構成において、前記電導パッチバンドの材質がシリコーン（Ｓｉｌｉｃｏｎｅ）である。
【００１０】
前記構成において、当該凸条部の底面から前記凸条山頂部までは、前記凹条谷底部に対して２倍の厚さを持つ。
【００１１】
前記構成において、当該凸条部の底面から前記凸条山頂部までは、前記凹条谷底部に対して３倍の厚さを持つ。
【００１２】
前記構成において、当該凸条部の底面から前記凸条山頂部までは、前記凹条谷底部に対して４倍の厚さを持つ。
【００１３】
前記構成において、当該凸条部の底面から前記凸条山頂部までは、前記凹条谷底部に対して５倍の厚さを持つ。
【００１４】
前記構成において、前記電導パッチバンドに、電気的に接続する導電パッチと電気刺激回路とが配設される。
【００１５】
前記構成において、前記電導パッチバンドに、電気的に接続する導電パッチと電気加熱回路とが配設される。
【００１６】
前記構成において、当該凸条部の上表面が弧凸状となっている。
【００１７】
前記構成において、前記凸条山頂部が弧凸状の前記上表面の中央位置に位置している。
【００１８】
前記構成において、当該凹条部は、弧凹状を呈する条体である。
【００１９】
前記構成において、当該凸条部は、辺縁段差を介して当該凹条部に連接され、前記辺縁段差は、垂直な段差である。
【００２０】
前記構成において、前記電導パッチバンドは、さらに当該凸条部と当該凹条部との底面に連結される基材バンドを有する。
【００２１】
前記構成において、当該凸条部と当該凹条部とは、同一基準の底面を形成する。
【００２２】
本考案をより明瞭に理解するために、その技術特徴及びそれが達成できる作用効果について、好ましい実施例の図面を添付して詳細な説明に合わせて後述する。
【図面の簡単な説明】
【００２３】
【図１】従来の技術の電子医療器械の構造を示す模式図である。
【図２】本考案の斜視模式図である。
【図３】本考案の第１実施例の断面模式図である。
【図４】本考案の第２実施例の断面模式図である。
【図５】本考案の撓曲操作を示す断面模式図である。
【図６】本考案の使用状態を示す模式図一である。
【図７】本考案の使用状態を示す模式図二である。
【考案を実施するための形態】
【実施例１】
【００２４】
本考案の人体への貼付に適した電導性のある可撓式パッチバンドの実施例について図２〜図３を参照しながら説明すると、本考案は、制御ホスト１００の片側又は両側に結合されるための電導パッチバンド１０（本実施例において、その材質がシリコーン（Ｓｉｌｉｃｏｎｅ）である）を備え、電子医療器械全体をヒトの身体、手部や腿部などの位置に貼り付けたり、巻き付けたりして使用することで、低周波治療による経皮的末梢神経電気刺激（ｔｒａｎｓｃｕｔａｎｅｏｕｓ  ｅｌｅｃｔｒｉｃａｌ  ｎｅｒｖｅ  ｓｔｉｍｕｌａｔｉｏｎ，ＴＥＮＳ）又は電気筋肉刺激（ｅｌｅｃｔｒｉｃａｌ  ｍｕｓｃｌｅ  ｓｔｉｍｕｌａｔｉｏｎ，ＥＭＳ）の効果、あるいは電気加熱器による筋肉温熱療法の効果を達成する。以下の実施例において、低周波治療の経皮的末梢神経電気刺激器を例として説明するが、実際使用する際にはこれに限られることはない。その中、前記電導パッチバンド１０の表面に有する複数の凸条部１２と複数の凹条部１４とが、連続的な連結組合せバンド体になるように交錯・交互に配設され、つまり、前記電導パッチバンド１０には、凸条部１２を凹条部１４に連結した後、再び凸条部１２、凹条部１４に接続連結する連続的な延伸状に形成して一体化したシートバンド体の構成となっている。前記電導パッチバンド１０に、電気的に接続する導電パッチと電気刺激回路（図示せず）とが内設されることで、前記電導パッチバンド１０を人体に貼付する際に、電気刺激作用が得られる。
【００２５】
前記電導パッチバンド１０（凸条部１２、凹条部１４）は、底面２０と、上表面３０とを有し、前記底面２０は、平直面状であり、即ち、当該凸条部１２と凹条部１４とは、同一基準の底面２０を形成し、また、前記上表面３０は、凸凹面組合せになり、即ち、略波形面又は高低面組合せになる。当該凸条部１２に有する上表面３０が弧凸状となっており（ただし、これに限定されない）、当該凸条部１２は、弧凸状の表面に最高位の凸条山頂部１２１を形成し、前記凸条山頂部１２１は、通常、当該凸条部１２が弧凸状の表面の中央位置に位置しているが、これに限定されない。当該凹条部１４は、前記上表面３０に最低位の凹条谷底部１４１を形成し、前記凹条谷底部１４１箇所は、通常、凹面を呈するが、これに限定されない。
【００２６】
前記電導パッチバンド１０の上表面３０は、当該凸条部１２と凹条部１４との上表面が、連続的な組合せに形成されるように交錯・交互に配設されるため、前記上表面３０に有する弧凸状の表面（凸条山頂部１２１）と、凹状の表面（凹条谷底部１４１）とを、連続的な組合せになるように交錯・交互に配設させ、つまり、前記複数の凸条部１２と複数の凹条部１４とは、いずれも相当な厚さを持つので、前記電導パッチバンド１０を構成する凸条部１２は、弧凸状を呈する条体・バンド体となり、また、前記電導パッチバンド１０を構成する凹条部１４は、弧凹状を呈する条体となり、かつ当該凸条部１２（弧凸状の条体）の厚さは、当該凹条部１４（弧凹状の条体）の厚さよりも大きい。
【００２７】
図３に示すように、当該凹条部１４（凹条谷底部１４１）は厚さａを持ち、また、当該凸条部１２の凸条山頂部１２１は、当該凹条部１４（凹条谷底部１４１）に対して厚さａを増大させ、即ち、当該凸条部１２の底面２０から前記凸条山頂部１２１までは、当該凹条部１４（凹条谷底部１４１）の厚さの２倍の厚さ２ａを持つ。上記の当該凸条部１２（凸条山頂部１２１）は、厚さ２ａを持つか、又は当該凹条部１４（凹条谷底部１４１）は、厚さａを持つか、あるいは当該凸条部１２と、凹条部１４との平均高さを計算して実施すればよい。
【００２８】
前記構成のように、適切な実施形態において、本考案の人体への貼付に適した電導性のある可撓式パッチバンドは、さらに基材バンド１０１を有し、前記基材バンド１０１は、前記電導パッチバンド１０（凸条部１２、凹条部１４）の底面２０に連結される。
【実施例２】
【００２９】
図４に示す本考案の人体への貼付に適した電導性のある可撓式パッチバンドの第２実施例は、第１実施例の基本構造に基づいて変形設計した例であり、また、その相違点は、当該凸条部１２は、辺縁段差１３を介して当該凹条部１４に互いに連接され、前記辺縁段差１３は、略垂直な段差である点にある。さらに、当該凹条部１４（凹条谷底部１４１）は、厚さｂを持ち、例えば、前記底面２０から前記凹条谷底部１４１（あるいは平均高さ）までの厚さをｂとする場合、当該凸条部１２の凸条山頂部１２１は、当該凹条部１４（凹条谷底部１４１）に対して厚さａを増大させ、即ち、当該凸条部１２の底面２０から前記凸条山頂部１２１までは、厚さａ＋ｂを持つ。また、例えば、ａ＝２ｂに設定される場合、前記凸条山頂部１２１の厚さは、前記凹条谷底部１４１の厚さの３倍となるか、又は上記の当該凸条部１２（凸条山頂部１２１）は、厚さ３ｂを持つか、あるいは当該凸条部１２の平均高さを計算して実施すればよい。つまり、適切な実施形態において、前記凸条山頂部１２１をもとに凸条部１２の厚さを計算すれば、当該凸条部１２は、当該凹条部１４（凹条谷底部１４１）に対して少なくとも２倍以上の厚さを持つと同様に、当該凸条部１２は、当該凹条部１４（凹条谷底部１４１）に対して３倍、４倍、又は５倍以上の厚さを持つ。これらの構成のように、前記電導パッチバンド１０は、さらに撓曲や湾曲の操作を行い易くなり、図５に示すように、前記電導パッチバンド１０は、便利に下向きに弧凹状を呈する撓曲や湾曲の操作を行うことができる。
【００３０】
図６と図７は、それぞれ本考案の人体への貼付に適した電導性のある可撓式パッチバンドの応用模式図を示す。これらの図を併せて参照し、図６に示すように、前記電子医療器械は、前記制御ホスト１００と、その両側に位置する電導パッチバンド１０とを含み、前記電子医療器械を人体の脊椎部位２００に貼付する際に、脊椎部位２００自体が弧曲率を持っているため、前記電導パッチバンド１０にさらなる曲撓特性を付与することにより、さらに便利かつ密接に貼付する操作を行い、及びその電気刺激の使用効果を発揮することができる。また、図７に示すように、前記電子医療器械を人体の肩部位３００に貼付する際に、肩部位３００が脊椎部位２００よりもさらに弧曲率を持っているため、前記電導パッチバンド１０の曲撓特性によって、同様に便利に前記肩部位３００に緊密に貼着することができるから、その実用性効果を積極的に発揮することができる。
【００３１】
本考案の人体への貼付に適した電導性のある可撓式パッチバンドは、上記の構成によれば、電導パッチバンドには、湾曲容易性や曲撓容易性などの特性及び便利性を付与させることができ、かつ内部の電子回路を保護できる効果を兼ね備えることで、身体の各種の曲面又は各種の撓みに沿って貼付する要求に適用することができる。
【００３２】
以上、本考案を上記の好ましい具体的実施例を用いてさらに詳細に説明したが、本考案は、上記に挙げた実施例に限定されるものではなく、本考案が開示した技術思想の範囲内で前記複数の構造に対して行う種々の変更及び修正が本考案の範囲に属する。
【符号の説明】
【００３３】
１０：電導パッチバンド
１００：制御ホスト
１０１：基材バンド
１２：凸条部
１２１：凸条山頂部
１３：辺縁段差
１４：凹条部
１４１：凹条谷底部
２０：底面
２００：脊椎部位
３０：上表面
３００：肩部位
【図１】
0003215698.tif 000003
【図２】
0003215698.tif 000004
【図３】
0003215698.tif 000005
【図４】
0003215698.tif 000006
【図５】
0003215698.tif 000007
【図６】
0003215698.tif 000008
【図７】
0003215698.tif 000009